(57)【要約】【課題】予め再生出力の禁止対象として設定したデータパターンと同一又は類似しているするデータを、再生対象のディジタルデータから除去する再生出力制御の機能を実現したデータ再生装置及び再生出力制御方法を提供することにある。【解決手段】ＡＶディジタルデータを再生出力するデータ再生装置において、ＣＰＵ２０は、再生対象のディジタルデータに対して、予めデータベース２２に格納された禁止対象データパターンの有無を判定する。ＣＰＵ２０は、禁止対象データパターンと同一又は類似するデータを除去したＡＶディジタルデータを再生出力する用に制御する。【選択図】    図１
2004266507.tif 000002
【特許請求の範囲】
【請求項１】
再生対象のディジタルデータを格納するバッファメモリと、再生出力を禁止すべき禁止対象データパターンを記憶する判定用記憶手段と、前記バッファメモリに格納されたディジタルデータに対して、前記禁止対象データパターンと同一又は類似しているか否かを判定する判定手段と、
前記判定手段の判定結果に基づき、前記禁止対象データパターンと同一又は類似するデータに対して所定の加工処理を実行する制御手段と
を具備したことを特徴とするデータ再生装置。
【請求項２】
前記判定手段は、前記再生対象のディジタルデータから前記禁止対象データパターンと比較するためのデータパターンを生成する手段を含むことを特徴とする請求項１に記載のデータ再生装置。
【請求項３】
前記判定用記憶手段は、前記禁止対象データパターンとして、画像データパターン、文字列データパターン、またはフラッシュ映像の検出用パターンのいずれかを含むことを特徴とする請求項１に記載のデータ再生装置。
【請求項４】
前記判定用記憶手段は、前記禁止対象データパターンとして画像データパターンを含み、
前記判定手段は、前記再生対象のディジタルデータが画像の場合、この画像のエッジを検出することによって、輪郭線から構成される形状画像データパターンを生成し、
前記画像データパターンと当該形状画像データパターンとを比較して、比較結果が一致した場合に当該形状画像データパターンを前記禁止対象データパターンとして判定することを特徴とする請求項１に記載のデータ再生装置。
【請求項５】
前記制御手段は、前記禁止対象データパターンに同一又は類似するデータを削除又は変更した後に、前記ディジタルデータの再生出力処理を実行することを特徴とする請求項１に記載のデータ再生装置。
【請求項６】
再生対象のディジタルデータを格納するバッファメモリと、前記バッファメモリ手段に格納されたディジタルデータに対する画像認識処理を実行して、予め設定された再生禁止対象候補のデータパターンを検出する手段と、
予め用意された再生出力禁止条件に基づいて、前記禁止対象候補のデータパターンが、再生出力を禁止すべき禁止対象データパターンと同一又は類似しているか否かを判定する判定手段と、
前記判定手段の判定結果に基づき、前記禁止対象データパターンと同一又は類似するデータに対して所定の加工処理を実行する制御手段と
を具備したことを特徴とするデータ再生装置。
【請求項７】
前記出力禁止条件に対応する判定用情報を記憶している判定用記憶手段を有し、
前記判定手段は、前記判定用記憶手段に記憶されている前記判定用情報に基づいて判定することを特徴とする請求項６に記載のデータ再生装置。
【請求項８】
前記制御手段は、前記禁止対象データパターンと同一又は類似するデータを削除又は変更した後に、前記ディジタルデータの再生出力処理を実行することを特徴とする請求項６に記載のデータ再生装置。
【請求項９】
外部装置から送信された映像信号を受信し、当該映像信号に対応する前記ディジタルデータを再生信号に変換して、表示装置の表示画面上に再生出力するディジタル再生システムに適用する請求項１または請求項６のいずれか１項に記載のデータ再生装置。
【請求項１０】
外部から入力されたディジタルデータを保存するディスクドライブを有するディジタル記録再生システムに適用する請求項１または請求項６のいずれか１項に記載のデータ再生装置。
【請求項１１】
入力されたディジタルデータを再生出力するデータ再生装置に適用する再生出力制御方法であって、
前記ディジタルデータをバッファメモリに格納するステップと、
前記バッファメモリに格納された前記ディジタルデータから所定のデータパターンを生成する生成ステップと、
前記生成されたデータパターンが、再生出力を禁止すべき禁止対象データパターンと同一又は類似しているか否かを判定する判定ステップと、
前記判定ステップの判定結果に基づき、前記禁止対象データパターンと同一又は類似する前記ディジタルデータのデータに対して所定の加工処理を実行する制御ステップと
を有することを特徴とする再生出力制御方法。
【請求項１２】
前記判定ステップは、予め判定用記憶手段に格納されている前記禁止対象データパターンを判定するための判定用情報を使用して判定することを特徴とする請求項１１に記載の再生出力制御方法。
【請求項１３】
前記禁止対象データパターンを判定するための判定用情報として、画像データパターンを格納している判定用記憶手段を使用し、
前記生成ステップは、前記ディジタルデータから輪郭線から構成される形状画像データパターンを生成し、
前記判定ステップは、前記判定用記憶手段に格納された画像データパターンと前記形状画像データパターンとを比較して、比較結果が一致または類似している場合に当該形状画像データパターンを前記禁止対象データパターンとして判定することを特徴とする請求項１１に記載の再生出力制御方法。
【請求項１４】
前記制御ステップは、前記禁止対象データパターンと同一または類似しているデータを削除又は変更した後に、前記ディジタルデータの再生出力処理を実行することを特徴とする請求項１１に記載の再生出力制御方法。
【請求項１５】
入力されたディジタルデータを再生出力するデータ再生装置に適用する再生出力制御方法であって、
前記ディジタルデータをバッファメモリに格納するステップと、
前記バッファメモリに格納されたディジタルデータに対する画像認識処理を実行して、予め設定された禁止対象候補のデータパターンを検出するステップと、予め用意された出力禁止条件に基づいて、前記禁止対象候補のデータパターンが、再生出力を禁止すべき禁止対象データパターンと同一または類似しているか否かを判定する判定ステップと、
前記禁止対象データパターンと同一または類似しているデータに対して所定の加工処理を実行する制御ステップと
を有することを特徴とする再生出力制御方法。
【請求項１６】
前記出力禁止条件に対応する判定用情報を記憶している判定用記憶手段を使用し、
前記判定ステップは、前記判定用記憶手段に記憶されている前記判定用情報に基づいて判定することを特徴とする請求項１５に記載の再生出力制御方法。
【請求項１７】
前記制御ステップは、前記禁止対象データパターンと同一または類似しているデータを削除又は変更した後に、前記ディジタルデータの再生出力処理を実行することを特徴とする請求項１５に記載の再生出力制御方法。
【発明の詳細な説明】
【０００１】
【発明の属する技術分野】
本発明は、一般的にはディジタル映像データなどのディジタルデータを再生出力するデータ再生装置の分野に関し、特に、ディジタルデータに含まれる再生禁止対象データの再生出力を制御する技術に関する。
【０００２】
【従来の技術】
近年、特にＡＶ（ａｕｄｉｏ  ａｎｄ  ｖｉｄｅｏ）コンテンツをディジタルデータ形式で放送するディジタル放送、あるいはインターネットを介して配信するサービスが普及している。また、ＤＶＤ（ｄｉｇｉｔａｌ  ｖｉｄｅｏ  ｄｉｓｃ）等の記録メディアにより、当該ＡＶコンテンツを提供するサービスも一般的になっている。
【０００３】
一方、従来からのパーソナルコンピュータ、各種のディジタル記録再生機器、またはテレビジョン受像機などの個別機器を統合するようなホームサーバなどのディジタル記録再生システムの開発が推進されている。このようなホームサーバであれば、ディジタル放送やインターネット、あるいは記録メディアのいずれのメディアからも容易にＡＶコンテンツの提供を受け易い環境が実現される。
【０００４】
ところで、ディジタルデータ形式のＡＶコンテンツであるＡＶデータの中には、再生出力（画面表示または音声出力）したときに、映像や音声の内容が視聴者に対して不快感を与えたり、また子供などの教育上好ましくないシーンが表示される可能性がある。これらのＡＶデータの中には、表現上の内容だけでなく、所謂サブリミナル（ｓｕｂｌｉｍｉｎａｌ）効果のある映像などが含まれる。
【０００５】
従来、ＡＶデータに含まれるサブリミナル映像を除去するための先行技術が提案されている（例えば、特許文献１を参照）。
【０００６】
【特許文献１】
特開平９−２８４６６９号公報
【０００７】
【発明が解決しようとする課題】
ＡＶデータの再生装置では、視聴者に対する不快感や、教育上好ましくない等の理由により、ＡＶデータに含まれるデータの一部を除去または変更する再生出力制御を実行できる機能が要求される。サブリミナル映像の除去機能については、前述のような先行技術が提案されている。
【０００８】
しかしながら、再生対象のディジタルデータから、予め再生出力禁止対象として設定したデータパターンと同一または類似しているデータを除去する再生出力制御の機能については、具体的には実現されていない。
【０００９】
そこで、本発明の目的は、予め再生出力の禁止対象として設定したデータパターンと同一又は類似しているするデータを、再生対象のディジタルデータから除去する再生出力制御の機能を実現したデータ再生装置及び再生出力制御方法を提供することにある。
【００１０】
【課題を解決するための手段】
本発明の観点は、特にＡＶデータを再生出力するデータ再生装置において、予め設定した再生出力を禁止すべき禁止対象データパターンと同一又は類似するデータを抽出し、当該データの削除又は変更して再生出力する再生出力制御機能を実現することにある。
【００１１】
本発明の観点に従ったデータ再生装置は、再生対象のディジタルデータを格納するバッファメモリと、再生出力を禁止すべき禁止対象データパターンを記憶する判定用記憶手段と、前記バッファメモリに格納されたディジタルデータに対して、前記禁止対象データパターンと同一又は類似しているか否かを判定する判定手段と、前記判定手段の判定結果に基づき、前記禁止対象データパターンと同一又は類似するデータに対して所定の加工処理を実行する制御手段とを備えたものである。
【００１２】
このような構成により、例えばインターネットを介して受信したディジタル映像データから、例えば教育上好ましくないアダルト画像などを、再生出力の禁止対象データパターンとして再生出力を禁止できる機能を備えたデータ再生装置を提供することができる。
【００１３】
【発明の実施の形態】
以下図面を参照して、本発明の実施の形態を説明する。
【００１４】
図１は、本実施形態に関するデータ再生装置を含むディジタル再生システム１００の要部を示すブロック図である。
【００１５】
ディジタル再生システム１００は、例えばインターネット経由で伝送された映像信号（ディジタルのストリームデータ）ＶＳを受信し、表示出力装置１８に再生出力する。表示出力装置１８は、再生出力された映像（静画像も含む）を画面上に表示し、また音声をスピーカから出力する。
【００１６】
データ再生装置は、ストリームデータＶＳを受信するＦＩＦＯ（ｆｉｒｓｔ−ｉｎ  ｆｉｒｓｔ−ｏｕｔ）式のバッファメモリ１０と、ＤＭＡ（ｄｉｒｅｃｔ  ｍｅｍｏｒｙ  ａｃｃｅｓｓ）コントローラ１１，１４と、フィールドメモリ（フレームバッファ）１２と、フラッシュメモリ１３とを有する。
【００１７】
ＤＭＡコントローラ１１は、バッファメモリ１０に格納されたストリームデータをフレーム単位でフィールドメモリ１２に転送する。フィールドメモリ１２は、フィールド単位（例えば数フレーム分）のディジタルデータを格納する。また、ＤＭＡコントローラ１４は、フィールドメモリ１２に格納されたデータを、後述するＮＴＳＣ回路１７に転送する。フラッシュメモリ１３は、例えば禁止対象データパターンの代替データパターンを保存する。
【００１８】
さらに、データ再生装置は、ＯＳＤ（ｏｎ  ｓｃｒｅｅｎ  ｄｉｓｐｌａｙ）回路１５と、スイッチ回路１６と、ＮＴＳＣ回路１７と、本実施形態に関する再生出力制御を実行するコントローラ１９とを有する。ＯＳＤ回路１５は、文字パターンデータなどのスーパーインポーズ用データ信号を生成する回路である。ＮＴＳＣ回路１７は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のテレビジョン映像信号及び音声信号を表示出力装置１８に出力する。
【００１９】
コントローラ１９は、マイクロプロセッサ（ＣＰＵ）２０と、フィルタ２１と、データベース２２とを含む。ＣＰＵ２０は、後述する本実施形態に関する再生出力制御を実行する（図２及び図３を参照）。フィルタ２１は、ＣＰＵ２０により抽出されたデータパターンである画像データ（画面データ）の圧縮処理など、データベース２２に格納されている判定用データである判定用データパターンと比較するための画像処理を実行するためのハードウェアまたはＣＰＵ２０により実行するソフトウェアを意味する。
【００２０】
データベース２２は、判定用データパターン群を蓄積している記憶装置と、その判定用データパターンを検索するためのソフトウェアとを意味する。判定用データパターンとは、ＣＰＵ２０が再生出力を禁止するための禁止対象データパターンであり、通常では、圧縮されたサムネイルなどの圧縮画面データからなる。
【００２１】
（再生出力制御の動作）
以下図１と共に、図２のフローチャートを参照して本実施形態に関する再生出力制御の手順を説明する。
【００２２】
データ再生装置は、受信したストリームデータＶＳをフィールドメモリ１２に格納する（ステップＳ１）。ここで、本実施形態は、ストリームのＡＶデータの中で映像データのみを取り扱い対象とする。
【００２３】
ＣＰＵ２０は、フィールドメモリ１２に格納されたデータ（例えば数フレーム分の画像データ）に対して、画像認識処理を実行する（ステップＳ２）。具体的には、ＣＰＵ２０は、画像のエッジ（明るさの変化点）を検出し、対象物の輪郭線を求める。さらに、ＣＰＵ２０は、求めた輪郭線からなる形状データパターンを生成する（ステップＳ３）。
【００２４】
ＣＰＵ２０は、生成した形状データパターンをフィルタ２１を介して圧縮データに変更する。ＣＰＵ２０は、データベース２２を検索して、当該形状データと合致する判定用データの有無を判定する（ステップＳ４，Ｓ５）。ここで、データベース２２には、予め再生出力の禁止対象として設定した禁止対象データパターンが保存されている。禁止対象データパターンとしては、例えば所謂アダルト画像を検出可能なデータパターンである。
【００２５】
ＣＰＵ２０は、生成した形状データパターンが、データベース２２に保存されている禁止対象データパターンのいずれかと、所定の閾値（画像パターンの類似判定用閾値）に基づいて同一又は類似の度合い判定する。ＣＰＵ２０は、判定結果が同一又は類似している場合には所定の再生出力制御を実行する（ステップＳ５のＹＥＳ，Ｓ６）。具体的には、ＣＰＵ２０は、禁止対象データパターンとして判定したデータ（映像データの一部）を、受信したストリームデータＶＳから除去して、ＮＴＳＣ回路１７に転送させる。
【００２６】
このとき、ＣＰＵ２０は、スイッチ回路１６を制御して、ＯＳＤ１５から例えばアダルト画像を除去したことを通知する文字パターンデータをＮＴＳＣ回路１７に転送する。これにより、表示装置１８の画面上に、映像を表示出力すると共に、文字列からなるコメントをスーパーインポーズする。これにより、ユーザは、表示装置１８の画面上で、受信したストリームデータＶＳから再生された映像とともに、当該映像から例えばアダルト画像が削除されたことのコメントを確認できる。
【００２７】
また、ＣＰＵ２０は、ストリームデータＶＳから除去した禁止対象データパターンの代替データパターンをフラッシュメモリ１３から取り出して、ＮＴＳＣ回路１７に転送するように制御してもよい。
【００２８】
一方、ＣＰＵ２０は、フィールドメモリ１２に格納されたストリームデータには、禁止対象データパターンが含まれていない場合には、ＮＴＳＣ回路１７に転送させる通常の再生出力処理を実行する（ステップＳ５のＮＯ，Ｓ７）。
【００２９】
本実施形態では、ＣＰＵ２０は、ストリームデータから抽出する禁止対象データパターンとして、画像の形状パターンに基づく判定を実行する。これ以外に、ＣＰＵ２０は、輝度信号や色差信号の積算を周期的に比較するアルゴリズムにより、所謂フラッシュ映像を禁止対象データとして再生出力を禁止する制御を実行してもよい。
【００３０】
また、ＣＰＵ２０は、画面中に含まれる文字パターンを認識処理して、当該文字認識結果（類似も含む）に基づいて好ましくない文字表現をしている文字パターン列を、禁止対象データパターンとして判定してもよい。この場合、データベース２２には、禁止対象となる輝度信号や色差信号の基準積算値や、禁止対象となる文字列からなる認識結果が予め保存されている。
【００３１】
（第１の変形例）
図３は、本実施形態の変形例として、ストリームデータから所謂アダルト画像を抽出、即ち禁止対象データとして判定するための処理手順を示すフローチャートである。
【００３２】
本変形例は、画像認識処理、推論アルゴリズム、及びデータベース２２を使用したパターンマッチング処理とを組み合わせた方法に関する。以下、図３のフローチャートを参照して説明する。
【００３３】
データ再生装置は、受信したストリームデータＶＳをフィールドメモリ１２に格納する（ステップＳ１１）。ＣＰＵ２０は、フィールドメモリ１２に格納されたデータ（例えば数フレーム分の画像データ）に対して、画像認識処理を実行する（ステップＳ１２）。
【００３４】
まず、ＣＰＵ２０は、画像のエッジ（明るさの変化点）を検出し、対象物の輪郭線を求める。ＣＰＵ２０は、当該輪郭線からなる形状パターンに基づいて、人物を抽出する。具体的には、ＣＰＵ２０は、形状パターンから顔に相当する部分が存在するか否かを推定する。また、ＣＰＵ２０は、肌の色に相当する色彩情報が存在するか否かを推定する。さらに、ＣＰＵ２０は、顔や、胴体、手足などのパーツの位置関係から人物を推定する。
【００３５】
ＣＰＵ２０は、当該人物の抽出処理により、画像データから人物の存在を推定できない場合には、ストリームデータに対して通常の再生出力処理に移行する（ステップＳ１３のＮＯ，Ｓ２１）。一方、ＣＰＵ２０は、人物の抽出できた場合には、当該人物を子供または大人のいずれであるかを識別するための推論処理に移行する（ステップＳ１３のＹＥＳ，Ｓ１４）。
【００３６】
この推論処理では、ＣＰＵ２０は、例えば人物を構成する頭、手足、胴体の比率（等身）、目や鼻の座標情報、手足の動く軌跡と速度などの情報を算出し、これらの算出結果に基づいて、抽出した人物が子供または大人のいずれであるかを識別する（ステップＳ１５）。ＣＰＵ２０は、抽出した人物が子供であると識別した場合には、ストリームデータに対して通常の再生出力処理に移行する（ステップＳ１５のＮＯ，Ｓ２１）。
【００３７】
一方、ＣＰＵ２０は、抽出した人物が大人であると識別した場合には、性別を識別するための推論処理に移行する（ステップＳ１５のＹＥＳ，Ｓ１６）。この推論処理では、ＣＰＵ２０は、例えば人物の髪の長さや、体格（肩、胸、腰、足のバランスや体全体のライン）に関する情報などを算出し、これらの算出結果に基づいて、抽出した人物が大人の女性であるか否かを識別する（ステップＳ１７）。
【００３８】
ＣＰＵ２０は、抽出した人物が大人の男性であると識別した場合には、ストリームデータに対して通常の再生出力処理に移行する（ステップＳ１７のＮＯ，Ｓ２１）。
【００３９】
一方、ＣＰＵ２０は、抽出した人物が大人の女性であると識別した場合には、禁止対象データパターンに相当する画像（アダルト画像）であるか否かを判定する処理に移行する（ステップＳ１７のＹＥＳ，Ｓ１８）。ここで、ＣＰＵ２０は、予めデータベース２２に格納された出力禁止条件データ（禁止対象データパターンに相当するデータ）に基づいて、アダルト画像であるか否かを判定する。
【００４０】
この判定処理では、ＣＰＵ２０は、出力禁止条件データとして、例えば体全体の色が顔の色と同一又は類似、胸に相当する部分での突起物の有無（周波数に基づいて判断可能）、あるいは肌色と異なる色の部分の位置などの情報を使用する。
【００４１】
要するに、ＣＰＵ２０は、識別した大人の女性に相当する画像が、衣服の有無または体全体で服に相当する部分の割合に基づいてアダルト画像であるか否かを判定する。ＣＰＵ２０は、出力禁止条件データに合致し、全裸またはそれに近い状態であると推定すると、当該画像はアダルト画像であると判定する（ステップＳ１９のＹＥＳ）。一方、水着などを着用した人物の場合には、ＣＰＵ２０は、出力禁止条件には合致しないと判定し、通常の再生出力処理に移行する（ステップＳ１９のＮＯ，Ｓ２１）。
【００４２】
以上の推論処理により、ＣＰＵ２０は、抽出した人物の画像がアダルト画像（禁止対象データパターン）であると判定した場合には、前述したように、所定の再生出力制御を実行する（ステップＳ２０）。具体的には、ＣＰＵ２０は、受信したストリームデータＶＳから当該アダルト画像に相当するデータを除去して、ＮＴＳＣ回路１７に転送させる。
【００４３】
以上本変形例によれば、ＣＰＵ２０は、ストリームデータから抽出した人物の画像が、所定の状態の画像（要するにアダルト画像と推定する画像）と同一又は類似する場合には、当該人物の画像の表示出力を禁止することができる。但し、ＣＰＵ２０は、データベース２２に格納された出力禁止条件データに基づいて、当該人物の画像がアダルト画像であるか否かを判定する。従って、当然ながら、当該出力禁止条件データの内容により、判定基準が異なる。
【００４４】
（第２の変形例）
図４は、本実施形態のデータ再生装置を適用するシステムの変形例を示す図である。本変形例は、記録メディアとしてハードディスクドライブ（ＨＤＤ）４０を有するディジタル記録再生システム４００を想定する。本システム４００は、例えばホームＬＡＮ４１を介して伝送されたＡＶコンテンツデータをＨＤＤ４０に記録し、再生要求に応じてＨＤＤ４０から指定のＡＶコンテンツデータを取り出して再生出力する。
【００４５】
本変形例でのデータ再生装置は、再生要求に応じてＨＤＤ４０から指定のＡＶコンテンツデータを取り出して、一時的にバッファメモリ４２に格納する。デコーダ４３は、バッファメモリ４２に格納されたデータを復元（圧縮データを伸張する処理）して、フィールドメモリ４４に格納する。
【００４６】
ＣＰＵ４５は、前述の本実施形態または第１の変形例と同様に、フィールドメモリ４４に格納されたデータに対して、禁止対象データパターン（アダルト画像なども含む）であるか否かを判定する。ＣＰＵ４５は、判定結果により禁止対象データパターンと同一又は類似するデータであると判定した場合には、バッファメモリ４２に格納したＡＶコンテンツデータから当該データを削除する。
【００４７】
このような処理により、データ再生装置は、ＨＤＤ４０から取り出された再生対象データを、バッファメモリ４２で禁止対象データパターンに相当するデータを削除する修正処理を実行する。データ再生装置は、修正処理後の再生対象データを、デコーダ４３及びフィールドメモリ４４を介して、前述のＮＴＳＣ回路１７に転送する。
【００４８】
以上要するに本実施形態及び各変形例によれば、特にＡＶコンテンツデータを再生出力するためのデータ再生装置において、再生対象のディジタルデータから、予め再生出力禁止対象として設定したデータパターンと同一又は類似するデータを除去することができる。従って、表示画面上に表示出力する画面データから、例えば教育上好ましくない画像（文字列パターンも含む）や、不快感を与える画像（例えばフラッシュ映像）などを未然に削除または別の画像に変更することが可能である。
【００４９】
【発明の効果】
以上詳述したように本発明によれば、予め再生出力の禁止対象として設定したデータパターンと同一又は類似しているするデータを、再生対象のディジタルデータから除去する再生出力制御の機能を実現したデータ再生装置及び再生出力制御方法を提供できる。
【図面の簡単な説明】
【図１】本発明の実施形態に関するデータ再生装置の構成を説明するためのブロック図。
【図２】本実施形態に関する再生出力制御の手順を説明するためのフローチャート。
【図３】本実施形態の変形例に関する再生出力制御の手順を説明するためのフローチャート。
【図４】本実施形態のデータ再生装置の変形例を示すブロック図。
【符号の説明】
１２…フィールドメモリ、１５…ＯＳＤ回路、１６…スイッチ回路、
１７…ＮＴＳＣ回路、１８…表示出力装置、１９…コントローラ、
２０…マイクロプロセッサ（ＣＰＵ）、２２…データベース、
４０…ハードディスクドライブ（ＨＤＤ）、４２…バッファメモリ、
４３…デコーダ、４４…フィールドメモリ、４５…マイクロプロセッサ（ＣＰＵ）、１００…ディジタル再生システム、４００…ディジタル記録再生システム。
【図１】
2004266507.tif 000003
【図２】
2004266507.tif 000004
【図３】
2004266507.tif 000005
【図４】
2004266507.tif 000006